【手続補正書】
【提出日】平成21年5月11日(2009.5.11)
【手続補正１】
【補正対象書類名】特許請求の範囲
【補正対象項目名】全文
【補正方法】変更
【補正の内容】
【特許請求の範囲】
【請求項１】
画像より特徴量を抽出する特徴量抽出手段と、
前記画像に対して処理を加えるための設定情報を設定する設定手段と、
前記設定手段により設定された前記設定情報を編集する編集手段と、
前記画像の特徴量に対応付けて前記編集手段により編集された前記設定情報をデータ記録媒体に記録する記録手段と
を備える画像処理装置。
【請求項２】
前記編集手段は、前記設定手段による設定が終了されるとき、前記設定手段により設定された前記第１の設定情報から、設定情報の標準とされている第２の設定情報まで徐々に変化するように、前記第１の設定情報から前記第２の設定情報の間の設定情報を編集する
請求項１に記載の画像処理装置。
【請求項３】
前記編集手段は、前記設定手段による設定が終了されるとき、その時点で前記設定手段により設定された第１の設定情報から、前記第１の設定情報が設定された画像より後の時点の画像の設定情報であり、前記データ記録媒体に記録されている第２の設定情報に、徐々に変化するように、前記第１の設定情報から前記第２の設定情報の間の設定情報を編集する
請求項１に記載の画像処理装置。
【請求項４】
前記編集手段は、前記第１の設定情報から所定の値を減算または加算した第３の設定情報を、前記第１の設定情報に対応する画像の次の時点における画像の設定情報とし、
前記第３の設定情報が前記第２の設定情報と所定の範囲内の設定情報ではないとき、前記第３の設定情報からさらに前記所定の値を減算または加算した第３の設定情報をさらに次の時点における画像の設定情報とし、
前記第３の設定情報が前記第２の設定情報と所定の範囲内の設定情報になったとき、前記第３の設定情報を前記第２の設定情報とする
請求項３に記載の画像処理装置。
【請求項５】
前記編集手段は、前記設定手段により設定された前記設定情報と、その設定情報が設定された画像と同一の画像で設定され、前記データ記録媒体に記録されている前記設定情報を加算する
請求項１に記載の画像処理装置。
【請求項６】
前記編集手段による編集の対象となる期間の開始または終了を指定するキーポイントを設定するキーポイント設定手段をさらに備え、
前記編集手段は、前記キーポイント設定手段により設定された前記キーポイントのうち、隣接するキーポイント間で、一方のキーポイントの設定情報から他方のキーポイントの設定情報に徐々に変化するように編集する
請求項１に記載の画像処理装置。
【請求項７】
前記キーポイント設定手段は、前記記録手段による記録が行われる前の時点で前記キーポイントを設定するか、または、前記記録手段による記録が行われた後の時点で前記キーポイントを設定する
請求項６に記載の画像処理装置。
【請求項８】
画像より特徴量を抽出する特徴量抽出ステップと、
前記画像に対して処理を加えるための設定情報を設定する設定ステップと、
前記設定ステップの処理で設定された前記設定情報を編集する編集ステップと、
前記画像の特徴量に対応付けて前記編集ステップの処理で編集された前記設定情報のデータ記録媒体への記録を制御する記録制御ステップと
を含む画像処理方法。
【請求項９】
画像より特徴量を抽出する特徴量抽出ステップと、
前記画像に対して処理を加えるための設定情報を設定する設定ステップと、
前記設定ステップの処理で設定された前記設定情報を編集する編集ステップと、
前記画像の特徴量に対応付けて前記編集ステップの処理で編集された前記設定情報のデータ記録媒体への記録を制御する記録制御ステップと
を含む処理をコンピュータに実行させるプログラムを記録している記録媒体。
【請求項１０】
画像より特徴量を抽出する特徴量抽出ステップと、
前記画像に対して処理を加えるための設定情報を設定する設定ステップと、
前記設定ステップの処理で設定された前記設定情報を編集する編集ステップと、
前記画像の特徴量に対応付けて前記編集ステップの処理で編集された前記設定情報のデータ記録媒体への記録を制御する記録制御ステップと
を含む処理をコンピュータに実行させるプログラム。
【請求項１１】
画像より特徴量を抽出する特徴量抽出手段と、
前記画像に対して処理を加えるための設定情報を設定する設定手段と、
前記画像の特徴量に対応付けて前記設定情報をデータ記録媒体に記録する記録手段と、
前記記録手段により前記設定情報を前記データ記録媒体に記録するか否かを判断し、その判断に基づき前記記録手段による記録を制御する制御手段と
を備える画像処理装置。
【請求項１２】
前記制御手段は、前記設定手段により設定される前記設定情報が連続して同一である場合、前記設定手段により設定される前記設定情報が前記データ記録媒体に記録されている対応する設定情報に近似する場合、または、前記設定手段により設定される前記設定情報が設定情報の標準とされている設定情報に近似する場合、前記記録手段により前記設定情報を前記データ記録媒体に記録しないと判断する
請求項１１に記載の画像処理装置。
【請求項１３】
前記記録手段による記録を開始させる開始点と、終了させる終了点を指定する指定手段をさらに備え、
前記制御手段は、前記指定手段により指定された開始点から、前記記録手段により前記設定情報を前記データ記録媒体に記録すると判断し、前記指定手段により指定された終了点から、前記記録手段により前記設定情報を前記データ記録媒体に記録しないと判断する
請求項１１に記載の画像処理装置。
【請求項１４】
前記指定手段は、前記記録手段による記録が行われる前の時点で前記開始点と前記終了点を指定する
請求項１３に記載の画像処理装置。
【請求項１５】
前記記録手段は、一時的に、前記データ記録媒体に前記設定情報を記録し、
前記指定手段は、前記記録手段による記録が行われた後、前記開始点と前記終了点を指定し、
前記制御手段は、一時的に前記データ記録媒体に記録された前記設定情報を、前記開始点から前記データ記録媒体に記録し直し、前記終了点で前記データ記録媒体の記録のし直しを終了する
請求項１３に記載の画像処理装置。
【請求項１６】
シーンチェンジを検出する検出手段をさらに備え、
前記制御手段は、前記検出手段によりシーンチェンジが検出された場合、前記記録手段により前記設定情報が前記データ記録媒体に記録されていないときには記録を開始させると判断し、前記記録手段により前記設定情報が前記データ記録媒体に記録されているときには記録を終了させると判断する
請求項１５に記載の画像処理装置。
【請求項１７】
画像より特徴量を抽出する特徴量抽出ステップと、
前記画像に対して処理を加えるための設定情報を設定する設定ステップと、
前記画像の特徴量に対応付けた前記設定情報のデータ記録媒体への記録を制御する際、前記設定情報を前記データ記録媒体に記録するか否かを判断し、その判断に基づき記録を制御する記録制御ステップと
を含む画像処理方法。
【請求項１８】
画像より特徴量を抽出する特徴量抽出ステップと、
前記画像に対して処理を加えるための設定情報を設定する設定ステップと、
前記画像の特徴量に対応付けた前記設定情報のデータ記録媒体への記録を制御する際、前記設定情報を前記データ記録媒体に記録するか否かを判断し、その判断に基づき記録を制御する記録制御ステップと
を含む処理をコンピュータに実行させるプログラムを記録している記録媒体。
【請求項１９】
画像より特徴量を抽出する特徴量抽出ステップと、
前記画像に対して処理を加えるための設定情報を設定する設定ステップと、
前記画像の特徴量に対応付けた前記設定情報のデータ記録媒体への記録を制御する際、前記設定情報を前記データ記録媒体に記録するか否かを判断し、その判断に基づき記録を制御する記録制御ステップと
を含む処理をコンピュータに実行させるプログラム。
【手続補正２】
【補正対象書類名】明細書
【補正対象項目名】００４６
【補正方法】削除
【補正の内容】
【手続補正３】
【補正対象書類名】明細書
【補正対象項目名】００４７
【補正方法】削除
【補正の内容】
【手続補正４】
【補正対象書類名】明細書
【補正対象項目名】００４８
【補正方法】削除
【補正の内容】
【手続補正５】
【補正対象書類名】明細書
【補正対象項目名】００４９
【補正方法】削除
【補正の内容】
【手続補正６】
【補正対象書類名】明細書
【補正対象項目名】００５０
【補正方法】削除
【補正の内容】
【手続補正７】
【補正対象書類名】明細書
【補正対象項目名】００５１
【補正方法】削除
【補正の内容】
【手続補正８】
【補正対象書類名】明細書
【補正対象項目名】００５２
【補正方法】削除
【補正の内容】
【手続補正９】
【補正対象書類名】明細書
【補正対象項目名】００５３
【補正方法】削除
【補正の内容】
【手続補正１０】
【補正対象書類名】明細書
【補正対象項目名】００５４
【補正方法】削除
【補正の内容】
【手続補正１１】
【補正対象書類名】明細書
【補正対象項目名】００５５
【補正方法】削除
【補正の内容】
【手続補正１２】
【補正対象書類名】明細書
【補正対象項目名】００５６
【補正方法】削除
【補正の内容】
【手続補正１３】
【補正対象書類名】明細書
【補正対象項目名】００５７
【補正方法】削除
【補正の内容】
【手続補正１４】
【補正対象書類名】明細書
【補正対象項目名】００５８
【補正方法】削除
【補正の内容】
【手続補正１５】
【補正対象書類名】明細書
【補正対象項目名】００５９
【補正方法】削除
【補正の内容】
【手続補正１６】
【補正対象書類名】明細書
【補正対象項目名】００６０
【補正方法】削除
【補正の内容】
【手続補正１７】
【補正対象書類名】明細書
【補正対象項目名】００６１
【補正方法】削除
【補正の内容】
【手続補正１８】
【補正対象書類名】明細書
【補正対象項目名】００６２
【補正方法】削除
【補正の内容】
【手続補正１９】
【補正対象書類名】明細書
【補正対象項目名】００６３
【補正方法】削除
【補正の内容】
【手続補正２０】
【補正対象書類名】明細書
【補正対象項目名】００６４
【補正方法】削除
【補正の内容】
【手続補正２１】
【補正対象書類名】明細書
【補正対象項目名】００６５
【補正方法】削除
【補正の内容】
【手続補正２２】
【補正対象書類名】明細書
【補正対象項目名】００６６
【補正方法】削除
【補正の内容】
【手続補正２３】
【補正対象書類名】明細書
【補正対象項目名】００６８
【補正方法】削除
【補正の内容】
【手続補正２４】
【補正対象書類名】明細書
【補正対象項目名】００６９
【補正方法】削除
【補正の内容】
【手続補正２５】
【補正対象書類名】明細書
【補正対象項目名】００７０
【補正方法】削除
【補正の内容】
【手続補正２６】
【補正対象書類名】明細書
【補正対象項目名】００７１
【補正方法】削除
【補正の内容】
【手続補正２７】
【補正対象書類名】明細書
【補正対象項目名】００７２
【補正方法】削除
【補正の内容】